(57)【要約】  【課題】  電源投入後からフリッカ補正処理が完了するまでの時間を短縮することのできるデジタルカメラ装置を提供する。  【解決手段】  デジタルカメラ１は、撮像素子２の電源オフ操作前の電源周波数ｆを示す周波数モードを記憶する周波数モード記憶部１２を備える。フリッカ補正部１０は、記憶された周波数モードに基づいて、撮像素子２の電源オン操作時に撮像素子２のシャッタ値を調整する。例えば、撮像素子２のシャッタ値を１／２ｆの整数倍に設定する。【選択図】  図１
2008098805.tif 000002
【特許請求の範囲】
【請求項１】
撮像手段と、
前記撮像手段の電源オフ操作前の電源周波数ｆを示す周波数モードを記憶する記憶手段と、
前記記憶手段に記憶された前記周波数モードに基づいて、前記撮像手段の電源オン操作時に前記撮像手段のシャッタ値を調整するフリッカ補正手段と、
を備えたことを特徴とするデジタルカメラ装置。
【請求項２】
前記フリッカ補正手段は、
前記撮像手段のシャッタ値を、１／２ｆの整数倍に設定することを特徴とする請求項１に記載のデジタルカメラ装置。
【請求項３】
撮像手段の電源オフ操作前に、電源周波数ｆを示す周波数モードを記憶し、
前記撮像手段の電源オン操作時に、記憶された前記周波数モードに基づいて、前記撮像手段のシャッタ値を調整することを特徴とするデジタルカメラ装置のフリッカ補正方法。
【請求項４】
前記撮像手段のシャッタ値を、１／２ｆの整数倍に設定することを特徴とする請求項３に記載のデジタルカメラ装置のフリッカ補正方法。
【発明の詳細な説明】
【技術分野】
【０００１】
本発明は、フリッカ補正機能を備えたデジタルカメラ装置に関するものである。
【背景技術】
【０００２】
一般的に、デジタルカメラには、フリッカ補正機能が備えられている。フリッカとは、画面のちらつきのことをいい、照明（蛍光灯など）の電源周波数と、撮像素子（ＣＣＤやＣＭＯＳなど）のシャッタ値が対応しないときに発生する。日本の商用電源周波数は、東日本エリアでは５０Ｈｚであり、西日本エリアでは６０Ｈｚである。これに対し、デジタルカメラには、二つの周波数モード（５０Ｈｚモードと６０Ｈｚモード）が用意されている。例えば、デジタルカメラの周波数モードが５０Ｈｚモードの場合には、５０Ｈｚの電源周波数（東日本エリアの商用電源周波数）に対応するシャッタ値で撮像素子が動作する。
【０００３】
従来、デジタルカメラでフリッカ補正を行う技術として、現フレームと前フレームの輝度平均値を比較して増加／減少／変化なしを判定し、フリッカの検出を行うものが知られている（例えば特許文献１参照）。また、フリッカ補正に関する技術として、フリッカの有無を判定しやすい動画に対しては、自動判定に基づいて処理を行い、フリッカの有無を判定しにくい動画については、ユーザーがフリッカモード判定するものが知られている（例えば特許文献２参照）。
【特許文献１】特開２００２−１５２６０４号公報（第２−４頁、第１図）
【特許文献２】特開２００３−１９８８８２号公報（第２−５頁、第２図）
【発明の開示】
【発明が解決しようとする課題】
【０００４】
しかしながら、従来のデジタルカメラでは、デジタルカメラの電源投入時（撮像素子の電源オン操作時）の周波数モードは、５０Ｈｚモードか６０Ｈｚモードのいずれか一方に固定されている。したがって、例えば、デジタルカメラの電源投入時の周波数モードが５０Ｈｚモードである場合には、西日本エリアでは常にフリッカが生じることになり、電源投入後に電源周波数の検出、周波数モードの切替えといったフリッカ補正処理が必ず行われることになる。この場合、従来のデジタルカメラでは、ユーザが西日本エリアでデジタルカメラを使用するときには、電源投入後に常にフリッカの発生を検出してフリッカ補正処理が必ず行われるので、電源投入後からフリッカ補正処理が完了するまでに時間がかかるという問題があった。つまり、フリッカ補正のための収束時間が長いという問題があった。
【０００５】
本発明は、上記従来の問題を解決するためになされたもので、電源投入後からフリッカ補正処理が完了するまでの時間を短縮することのできるデジタルカメラ装置を提供することを目的とする。
【課題を解決するための手段】
【０００６】
本発明のデジタルカメラ装置は、撮像手段と、前記撮像手段の電源オフ操作前の電源周波数ｆを示す周波数モードを記憶する記憶手段と、前記記憶手段に記憶された前記周波数モードに基づいて、前記撮像手段の電源オン操作時に前記撮像手段のシャッタ値を調整するフリッカ補正手段と、を備えた構成を有している。
【０００７】
この構成により、撮像手段の電源オフ操作前の周波数モードが記憶され、撮像手段の電源オン操作時に、その周波数モードを用いて撮像手段のシャッタ値が設定される。つまり、デジタルカメラ装置の電源投入時（撮像手段の電源オン操作時）の周波数モードが、前回デジタルカメラ装置を使用したときの周波数モードに設定される。例えば、５０Ｈｚモードで起動したデジタルカメラ装置を西日本エリアで使用したときには、周波数モードが５０Ｈｚモードから６０Ｈｚモードに切り替わり、６０Ｈｚモードが記憶される。そして、次回、同じ６０Ｈｚの西日本エリアでデジタルカメラ装置の電源を投入したときに、前回の周波数モード（６０Ｈｚモード）に基づいて撮像手段のシャッタ値が設定されている。このように、前回デジタルカメラ装置を使用したときの周波数モードを用いることにより、電源を投入した後、実質的に電源周波数の検出、周波数モードの移行のプロセスがキャンセルされるので、電源投入後からフリッカ補正処理が完了するまでの時間を短縮することができる。
【０００８】
また、本発明のデジタルカメラ装置では、前記フリッカ補正手段は、前記撮像手段のシャッタ値を、１／２ｆの整数倍に設定する構成を有している。
【０００９】
この構成により、撮像手段のシャッタ値が１／２ｆの整数倍に設定される。例えば、記憶された周波数ｆが５０Ｈｚの場合には、撮像手段のシャッタ値は１／１００秒の整数倍に設定される。また、記憶された周波数ｆが６０Ｈｚの場合には、撮像手段のシャッタ値は１／１２０秒の整数倍に設定される。このように、照明（蛍光灯など）の電源周波数と撮像手段（ＣＣＤやＣＭＯＳなどのイメージセンサ）のシャッタ値を対応させることにより、フリッカが除去された良質な映像信号を得ることができる。
【００１０】
本発明のデジタルカメラ装置のフリッカ補正方法は、撮像手段の電源オフ操作前に、電源周波数ｆを示す周波数モードを記憶し、前記撮像手段の電源オン操作時に、記憶された前記周波数モードに基づいて、前記撮像手段のシャッタ値を調整する。
【００１１】
これによっても、上記のように、撮像手段の電源オフ操作前の周波数モードが記憶され、撮像手段の電源オン操作時に、その周波数モードを用いて撮像手段のシャッタ値が設定される。つまり、デジタルカメラ装置の電源投入時（撮像手段の電源オン操作時）の周波数モードが、前回デジタルカメラ装置を使用したときの周波数モードに設定される。このように、前回デジタルカメラ装置を使用したときの周波数モードを用いることにより、電源を投入した後、実質的に電源周波数の検出、周波数モードの移行のプロセスがキャンセルされるので、電源投入後からフリッカ補正処理が完了するまでの時間を短縮することができる。
【００１２】
また、本発明のデジタルカメラ装置のフリッカ補正方法では、前記撮像手段のシャッタ値を、１／２ｆの整数倍に設定する。
【００１３】
これによっても、上記のように、撮像手段のシャッタ値が１／２ｆの整数倍に設定される。このように、照明（蛍光灯など）の電源周波数と撮像手段（ＣＣＤやＣＭＯＳなどのイメージセンサ）のシャッタ値を対応させることにより、フリッカが除去された良質な映像信号を得ることができる。
【発明の効果】
【００１４】
本発明は、電源オフ操作前の周波数モードを記憶する記憶手段と、記憶された周波数モードに基づいて電源オン操作時にシャッタ値を調整するフリッカ補正手段を設けることにより、電源投入後からフリッカ補正処理が完了するまでの時間を短縮することができるという効果を有するデジタルカメラ装置を提供することができるものである。
【発明を実施するための最良の形態】
【００１５】
以下、本発明の実施の形態のデジタルカメラ装置について、図面を用いて説明する。本実施の形態では、デジタルカメラ装置が、電子シャッタ式のデジタルカメラ等である場合を例示する。
【００１６】
本発明の実施の形態のデジタルカメラの構成を図１〜図６に示す。図１は、デジタルカメラの構成を示すブロック図である。ここでは、まず図１を用いて、デジタルカメラの概略構成について説明する。
【００１７】
図１に示すように、デジタルカメラ１は、撮像素子２と、ＣＤＳ処理（Correlated Double Sampling、相関２重サンプリング処理）によりノイズを除去するＣＤＳ部３と、ＡＧＣ処理（Automatic Gain Control）により自動的に増幅率を調整するＡＧＣ部４と、アナログ信号をデジタル信号に変換するＡＤ変換部５を備えている。撮像素子２は、ＣＣＤやＣＭＯＳなどのイメージセンサであり、本発明の撮像手段に相当する。
【００１８】
また、デジタルカメラ１は、ホワイトバランスを調整するホワイトバランス調整部６と、ＲＧＢ信号からＹ信号を分離するＹ信号処理部７と、ＲＧＢ信号からＣ信号（Ｕ信号とＶ信号）を分離するＣ信号処理部８と、撮像素子２やホワイトバランス調整部６などの動作制御を行う制御部９を備えている。この制御部９は、撮像素子２のシャッタ値の調整等のフリッカ補正に関する処理を行うフリッカ補正部１０を備えている。ここでは、フリッカ補正部１０が、本発明のフリッカ補正手段に相当する。
【００１９】
また、デジタルカメラ１は、ホワイトバランス調整やＹ信号処理などに用いる係数を記憶する係数記憶部１１と、撮像素子２の周波数モードを記憶する周波数モード記憶部１２とを備えている。この係数記憶部１１や周波数モード記憶部１２は、メモリで構成されている。ここでは、周波数モード記憶部１２が、本発明の記憶手段に相当する。
【００２０】
つぎに、デジタルカメラ１の各構成について図面を用いて説明する。図２は、撮像素子２のカラーフィルタ配列の一例を示す図である。図２に示すように、撮像素子２のカラーフィルタ配列は、原色ベイヤー配列である。
【００２１】
図３は、ホワイトバランス調整部６の一例を示すブロック図である。図３に示すように、ホワイトバランス調整部６は、入力されるＲＧＢシリアル信号をパラレル信号に変換するＳＰ（シリアル−パラレル）変換処理を行うＳＰ変換部６１と、パラレル変換されたＲＧＢ信号（Ｒ信号、Ｇ信号、Ｂ信号）の各々のゲインを調整するゲイン調整部６２、６３、６４を備えている。
【００２２】
これらのゲイン調整部６２、６３、６４では、下記の式１〜式３を用いて、ゲイン調整が行われる。ここで、ＲゲインＫR、ＧゲインＫG、ＢゲインＫBは、所定の係数である。これらのＲゲインＫR、ＧゲインＫG、ＢゲインＫBは、係数記憶部１１に記憶されている。本実施の形態では、Ｒ’信号、Ｇ’信号、Ｂ’信号が制御部９にフィードバックされ、無彩色の信号に対して、Ｒ’＝Ｇ’＝Ｂ’となるように、ＲゲインＫR、ＧゲインＫG、ＢゲインＫBが定められる。
Ｒ’＝ＫR×Ｒ  （式１）
Ｇ’＝ＫG×Ｇ  （式２）
Ｂ’＝ＫB×Ｂ  （式３）
【００２３】
図４は、Ｙ信号処理部７の一例を示すブロック図である。図４に示すように、Ｙ信号処理部７は、入力されるＲ’信号、Ｇ’信号、Ｂ’信号をＹ１信号に変換するＲＧＢ−Ｙ変換処理を行うＲＧＢ−Ｙ変換部７１と、Ｙ１信号のゲインを調整してＹ２信号を出力するゲイン調整部７２と、Ｙ２信号のオフセットを調整してＹ信号を出力するオフセット調整部７３を備えている。
【００２４】
この場合、ＲＧＢ−Ｙ変換部７１では、下記の式４を用いてＲＧＢ−Ｙ変換処理が行われる。また、ゲイン調整部７２では、下記の式５を用いてゲインの調整が行われる。また、オフセット調整部７３では、下記の式６を用いてオフセットの調整が行われる。本実施の形態では、これらの演算処理は、制御部９からの制御信号に基づいて行われる。また、これらの係数ａ11、係数ａ12、係数ａ13、ＹゲインＫY、Ｙオフセット値Ｙoffは、係数記憶部１１に記憶されている。
Ｙ１＝ａ11×Ｒ＋ａ12×Ｇ＋ａ13×Ｂ  （式４）
Ｙ２＝ＫY×Ｙ１  （式５）
Ｙ＝Ｙ２＋Ｙoff  （式６）
【００２５】
図５は、Ｃ信号処理部８の一例を示すブロック図である。図５に示すように、Ｃ信号処理部８は、入力されるＲ’信号、Ｇ’信号、Ｂ’信号をＵ１信号、Ｖ１信号に変換するＲＧＢ−ＵＶ変換処理を行うＲＧＢ−ＵＶ変換部８１と、Ｕ１信号、Ｖ１信号のゲインを調整してＵ２信号、Ｕ２信号を出力するゲイン調整部８２と、Ｕ２信号、Ｖ２信号のオフセットを調整してＵ信号、Ｖ信号を出力するオフセット調整部８３を備えている。
【００２６】
この場合、ＲＧＢ−Ｃ変換部８１では、下記の式７および式８を用いてＲＧＢ−ＵＶ変換処理が行われる。また、ゲイン調整部８２では、下記の式９および式１０を用いてゲインの調整が行われる。また、オフセット調整部８３では、下記の式１１および式１２を用いてオフセットの調整が行われる。本実施の形態では、これらの演算処理は、制御部９からの制御信号に基づいて行われる。また、これらの係数ａ21、係数ａ22、係数ａ23、係数ａ31、係数ａ32、係数ａ33、ＵゲインＫU、ＶゲインＫV、Ｕオフセット値Ｕoff、Ｖオフセット値Ｖoffは、係数記憶部１１に記憶されている。
Ｕ１＝ａ21×Ｒ＋ａ22×Ｇ＋ａ23×Ｂ  （式７）
Ｖ１＝ａ31×Ｒ＋ａ32×Ｇ＋ａ33×Ｂ  （式８）
Ｕ２＝ＫU×Ｕ１  （式９）
Ｖ２＝ＫV×Ｖ１  （式１０）
Ｕ＝Ｕ２＋Ｕoff  （式１１）
Ｖ＝Ｖ２＋Ｖoff  （式１２）
【００２７】
図６は、フリッカ補正部１０の一例を示すブロック図である。図６に示すように、フリッカ補正部１０は、現在の周波数モードの検出を行う周波数モード検出部１０１と、検出した周波数モードを周波数モード記憶部１２に書き込んだり周波数モード記憶部１２に記憶された周波数モードを読み出す周波数モードリードライト部１０２と、検出された現在の周波数モードが周波数モード記憶部１２から読み出して設定した周波数モードと一致するかどうかの判定処理を行う周波数モード判定部１０３と、周波数モードに基づいて撮像素子２のシャッタ値の調整を行うシャッタ値調整部１０４を備えている。
【００２８】
本実施の形態のデジタルカメラ１では、二つの周波数モード（５０Ｈｚモードと６０Ｈｚモード）が用意されている。周波数モード検出部１０１は、電源周波数が５０Ｈｚであるか６０Ｈｚであるか、すなわち、周波数モードが５０Ｈｚモードであるか６０Ｈｚモードであるかを検出する。また、シャッタ値調整部１０４は、この周波数モードを参照して、撮像素子２の電子シャッタのシャッタ値を電源周波数に応じて調整する。
【００２９】
例えば、光源として蛍光灯を使用している場合に、商用電源の周波数が５０Ｈｚであるときには、電子シャッタのシャッタ値を１／１００秒の整数倍に設定する。また、商用電源の周波数が６０Ｈｚであるときには、電子シャッタのシャッタ値を１／１２０秒の整数倍に設定する。これにより、デジタルカメラ１の周波数モードが５０Ｈｚモードの場合には、５０Ｈｚの電源周波数（東日本エリアの商用電源周波数）に対応するシャッタ値（１／１００秒の整数倍）で撮像素子２が動作する。一方、デジタルカメラ１の周波数モードが６０Ｈｚモードの場合には、６０Ｈｚの電源周波数（西日本エリアの商用電源周波数）に対応するシャッタ値（１／１２０秒の整数倍）で撮像素子２が動作する。上記の周波数モードは、フリッカモードとも呼ばれる。
【００３０】
以上のように構成されたデジタルカメラ１について、図７を用いてその動作を説明する。ここでは、フリッカ補正に関する電源立ち上げ、立ち下げシーケンスの一例について説明する。
【００３１】
図７は、デジタルカメラ１の動作を説明するためのフロー図である。図７に示すように、本実施の形態のデジタルカメラ１を使用するときには、まず、デジタルカメラ１の電源を入れる（Ｓ１）。本実施の形態では、デジタルカメラ１の電源がオンになると、撮像素子２の電源もオンになる。したがって、デジタルカメラ１の電源オン操作は、撮像素子２の電源オン操作であるともいえる。デジタルカメラ１の電源をオンにすると（撮像素子２の電源をオンにすると）、撮像素子２によって光電変換された信号が、ＣＤＳ部３、ＡＧＣ部４、ＡＤ変換部５、ホワイトバランス調整部６を介して、Ｙ信号処理部７、Ｃ信号処理部８および制御部９に入力される。
【００３２】
電源オン操作が行われると、フリッカ補正部１０の周波数モードリードライト部１０２は、周波数モード記憶部１２に書き込まれている周波数モードを読み出す処理を行う（Ｓ２）。そして、フリッカ補正部１０のシャッタ値調整部１０４が、撮像素子２の周波数モードを周波数モード記憶部１２から読み出した周波数モードに設定する（Ｓ３）。具体的には、読み出した周波数モードを参照して、撮像素子２の電子シャッタのシャッタ値を、その周波数モードに対応するシャッタ値に設定する。例えば、読み出した周波数モードが５０Ｈｚモードである場合には、撮像素子２の電子シャッタのシャッタ値を、１／１００秒の整数倍に設定する。また、読み出した周波数モードが６０Ｈｚモードである場合には、撮像素子２の電子シャッタのシャッタ値を、１／１２０秒の整数倍に設定する。このようにして、前回、デジタルカメラ１を使用したときの周波数モードを参照して、撮像素子２の電子シャッタのシャッタ値を設定する。
【００３３】
つぎに、フリッカ補正部１０の周波数モード検出部１０１が、現在の電源周波数を検出する（Ｓ４）。具体的には、現在の電源周波数が５０Ｈｚであるか６０Ｈｚであるかを検出する。そして、フリッカ補正部１０の周波数モード判定部１０３が、周波数モードの判定処理を行う（Ｓ５）。具体的には、検出された現在の周波数モードが、周波数モード記憶部１２から読み出して設定した周波数モードと一致するか否かの判定処理が行われる。
【００３４】
このような周波数モードの判定処理の結果、検出された現在の周波数モードが、周波数モード記憶部１２から読み出して設定した周波数モードと一致しないと判断された場合には、周波数モードの再設定が行われる（Ｓ６）。具体的には、撮像素子２の電子シャッタのシャッタ値を、検出された周波数モードに対応するシャッタ値に設定する。例えば、検出された周波数モードが５０Ｈｚモードである場合には、撮像素子２の電子シャッタのシャッタ値を、１／１００秒の整数倍に設定する。また、検出された周波数モードが６０Ｈｚモードである場合には、撮像素子２の電子シャッタのシャッタ値を、１／１２０秒の整数倍に設定する。その後、撮像素子２の定常状態の動作（例えばカメラ映像の撮影等）に移行する（Ｓ７）。
【００３５】
一方、上記のような周波数モードの判定処理の結果、検出された現在の周波数モードが、周波数モード記憶部１２から読み出して設定した周波数モードと一致する判断された場合には、周波数モードの再設定を行わずに、撮像素子２の定常状態の動作に移行する（Ｓ７）。このようにして、フリッカ補正に関する電源立ち上げが行われる。
【００３６】
カメラ映像の撮影等が終了したときには、デジタルカメラ１の電源を切る前に、周波数モードの書込み処理が行われる（Ｓ８）。具体的には、フリッカ補正部１０の周波数モードリードライト部１０２が、現在の電源の周波数モードを周波数モード記憶部１２に書き込む処理を行う。このとき周波数モード記憶部１２に書き込まれた周波数モードが、次回、デジタルカメラ１を起動するときに参照される。
【００３７】
そして、周波数モードの書込み処理が完了した後、デジタルカメラ１の電源を切る（Ｓ９）。本実施の形態では、デジタルカメラ１の電源がオフになると、撮像素子２の電源もオフになる。したがって、デジタルカメラ１の電源オフ操作は、撮像素子２の電源オフ操作であるともいえる。このようにして、フリッカ補正に関する電源立ち下げが行われる。
【００３８】
このような発明の実施の形態のデジタルカメラ１によれば、電源オフ操作前の周波数モードを記憶する周波数モード記憶部１２と、記憶された周波数モードに基づいて電源オン操作時にシャッタ値を調整するフリッカ補正部１０を設けることにより、回路構成や制御を複雑にすることなく、電源投入後からフリッカ補正処理が完了するまでの時間を短縮することができる。
【００３９】
すなわち、本実施の形態では、撮像素子２の電源オフ操作前の周波数モードが記憶され、撮像素子２の電源オン操作時に、その周波数モードを用いて撮像素子２のシャッタ値が設定される。つまり、デジタルカメラ１の電源投入時（撮像素子２の電源オン操作時）の周波数モードが、前回デジタルカメラ１を使用したときの周波数モードに設定される。このように、前回デジタルカメラ１を使用したときの周波数モードを用いることにより、電源を投入した後、短時間でフリッカ補正（シャッタ値の調整）を行うことができ、電源投入後からフリッカ補正処理が完了するまでの時間を短縮することができる。
【００４０】
従来のデジタルカメラでは、デジタルカメラの起動時の周波数モードが所定のプリセット値（５０Ｈｚモードまたは６０Ｈｚモード）に固定されている。したがって、電源オフ操作時と再起動時の電源周波数が同じである場合であっても、起動時（再起動時）の電源周波数がプリセット値と異なるときには、周波数モードの検出処理が必ず必要になり、電源立ち上げからカメラの定常状態に移行するまでの時間（収束時間）が長く掛かるという問題がある。
【００４１】
それに対して、本実施の形態のデジタルカメラ１では、デジタルカメラ１の起動時の周波数モードが所定のプリセット値（５０Ｈｚモードまたは６０Ｈｚモード）に固定されていない。すなわち本実施の形態では、デジタルカメラ１の電源オフ操作の前に、現在使用している周波数モードを周波数モード記憶部１２に書き込み、その後、デジタルカメラ１の動作を終了させる。そして、デジタルカメラ１の再起動時には、電源オフ操作時に書き込んだ周波数モードを参照して、デジタルカメラ１を起動させる。そのため、電源オフ操作時と再起動時の商用電源の周波数が同じである場合には、周波数モードの検出処理が不要になり、フリッカ補正のための収束時間を短縮することが出来る。これにより、電源立ち上げ後すぐに、フリッカがキャンセルされた動画を得ることが出来る。
【００４２】
例えば、前回、デジタルカメラ１の電源を投入した時の周波数モードのプリセット値が５０Ｈｚモードであっても、西日本エリアでデジタルカメラ１を使用したときには、そのときの周波数モード（６０Ｈｚモード）が記憶される。そして、次回、デジタルカメラ１の電源を投入したときには、その周波数モード（６０Ｈｚモード）を参照して撮像素子２のシャッタ値が設定される。このような場合に、前回デジタルカメラ１を使用したときの周波数モード（６０Ｈｚモード）を参照することにより、電源を投入した後、周波数モードの検出（フリッカの検出）を行うより前に、フリッカ補正（シャッタ値の調整）を行うことができ、電源投入後からフリッカ補正処理が完了するまでの時間を短縮することができる。
【００４３】
また、本実施の形態では、撮像素子２のシャッタ値が１／２ｆの整数倍に設定される。例えば、記憶された周波数ｆが５０Ｈｚの場合には、撮像素子２のシャッタ値は１／１００秒の整数倍に設定される。また、記憶された周波数ｆが６０Ｈｚの場合には、撮像素子２のシャッタ値は１／１２０秒の整数倍に設定される。このように、照明（蛍光灯など）の電源周波数と撮像素子２（ＣＣＤやＣＭＯＳなどのイメージセンサ）のシャッタ値を対応させることにより、フリッカが除去された良質な映像信号を得ることができる。
【００４４】
以上、本発明の実施の形態を例示により説明したが、本発明の範囲はこれらに限定されるものではなく、請求項に記載された範囲内において目的に応じて変更・変形することが可能である。
【産業上の利用可能性】
【００４５】
以上のように、本発明にかかるデジタルカメラ装置は、電源投入後からフリッカ補正処理が完了するまでの時間を短縮することができるという効果を有し、電子シャッタ式のデジタルカメラ等として有用である。
【図面の簡単な説明】
【００４６】
【図１】本発明の実施の形態におけるデジタルカメラのブロック図
【図２】本発明の実施の形態における撮像素子のカラーフィルタ配列の説明図
【図３】本発明の実施の形態におけるホワイトバランス調整部のブロック図
【図４】本発明の実施の形態におけるＹ信号処理部のブロック図
【図５】本発明の実施の形態におけるＣ信号処理部のブロック図
【図６】本発明の実施の形態におけるフリッカ補正部のブロック図
【図７】本発明の実施の形態におけるデジタルカメラの動作説明のためのフロー図
【符号の説明】
【００４７】
１  デジタルカメラ
２  撮像素子
１０  フリッカ補正部
１２  周波数モード記憶部
１０１  周波数モード検出部
１０２  周波数モードリードライト部
１０３  周波数モード判定部
１０４  シャッタ値調整部
【図１】
2008098805.tif 000003
【図２】
2008098805.tif 000004
【図３】
2008098805.tif 000005
【図４】
2008098805.tif 000006
【図５】
2008098805.tif 000007
【図６】
2008098805.tif 000008
【図７】
2008098805.tif 000009